(57)【要約】【課題】多種多様な使用方法により、スカーフの巻き方およびスタイルをユーザが自由に変えることができる多様な巻き方が可能なスカーフを提供する。【解決手段】多様な巻き方が可能なスカーフは、長尺状かつ中空筒状であるスカーフ本体１を備える。スカーフ本体１は、第１の穴２が一方の端部に設けられ、第１の穴２と連通した第２の穴３が他方の端部に設けられ、第１の穴２および第２の穴３と連通した第３の穴４が中間部分に設けられている。【選択図】図１
0003156051.tif 000002
【実用新案登録請求の範囲】
【請求項１】
長尺状かつ中空筒状であるスカーフ本体を備え、
前記スカーフ本体は、第１の穴が一方の端部に設けられ、前記第１の穴と連通した第２の穴が他方の端部に設けられ、前記第１の穴および前記第２の穴と連通した第３の穴が中間部分に設けられていることを特徴とする、
スカーフ。
【考案の詳細な説明】
【技術分野】
【０００１】
本考案は、多様な巻き方が可能なスカーフに関し、特に、ユーザが使用方式を容易に変え、多様な巻き方が可能なスカーフ構造に関する。
【背景技術】
【０００２】
一般のスカーフは、防寒および保温の機能を有する以外に、スカーフ自体の材料、線、色、模様およびその巻き方により、服装と組み合わせて見た目を向上させるために用いられる。しかし、従来のスカーフは、一般に綿、絹などの材料が直接長尺状に織られた単純な構造であったため、一般的に、ユーザの首部に巻いたり掛けたりすることしかできなかった。世間では、その他数種類の巻き方が知られているが、従来の長尺状のスカーフ構造と完全に異なるものではなかったため、多様な巻き方ができず、多様なスタイルを作り出すことができなかった。
【０００３】
そのため、スカーフを特別な構造にすることにより、従来の巻き方の他に、多様な巻き方により様々なスタイルを作り出すことができる多様な巻き方が可能なスカーフが求められていた。
【考案の概要】
【考案が解決しようとする課題】
【０００４】
本考案の目的は、スカーフの構造を改良し、ユーザの身体の一部を通すことができる複数の穴をスカーフに設け、スカーフを首部、頭部、手部などの部位に被せることにより、多様な巻き方で様々なスタイルを作り出すことができる、多様な巻き方が可能なスカーフを提供することにある。
【課題を解決するための手段】
【０００５】
上記課題を解決するために、本考案の第１の形態によれば、長尺状かつ中空筒状であるスカーフ本体を備え、前記スカーフ本体は、第１の穴が一方の端部に設けられ、前記第１の穴と連通した第２の穴が他方の端部に設けられ、前記第１の穴および前記第２の穴と連通した第３の穴が中間部分に設けられていることを特徴とする多様な巻き方が可能なスカーフが提供される。
【考案の効果】
【０００６】
本考案の多様な巻き方が可能なスカーフは、スカーフの構造を改良し、ユーザの身体の一部を通すことができる複数の穴をスカーフに設け、スカーフを首部、頭部、手部などの部位に被せることにより、多様な巻き方で様々なスタイルを作り出すことができる。
【図面の簡単な説明】
【０００７】
【図１】本考案の一実施形態による多様な巻き方が可能なスカーフを示す斜視図である。
【図２】本考案の一実施形態による多様な巻き方が可能なスカーフを使用するときの状態を示す模式図である。
【図３】本考案の一実施形態による多様な巻き方が可能なスカーフの応用例１を示す模式図である。
【図４】本考案の一実施形態による多様な巻き方が可能なスカーフの応用例２を示す模式図である。
【図５】本考案の一実施形態による多様な巻き方が可能なスカーフの応用例３を示す模式図である。
【図６】本考案の他の実施形態による多様な巻き方が可能なスカーフを応用するときの状態を示す模式図である。
【図７】本考案の一実施形態による多様な巻き方が可能なスカーフを応用するときの状態を示す模式図である。
【図８】本考案の一実施形態による多様な巻き方が可能なスカーフの応用例４を示す模式図である。
【図９】本考案の一実施形態による多様な巻き方が可能なスカーフの応用例５を示す模式図である。
【考案を実施するための形態】
【０００８】
以下、本考案の実施形態について図に基づいて説明する。なお、これによって本考案が限定されるものではない。
【０００９】
図１を参照する。図１は、本考案の一実施形態による多様な巻き方が可能なスカーフを示す斜視図である。図１に示すように、多様な巻き方が可能なスカーフは、長尺状かつ中空筒状であるスカーフ本体１を含む。スカーフ本体１は、一方の端部に第１の穴２が設けられ、他方の端部に第２の穴３が設けられ、スカーフ本体１と第１の穴２とが連通されている。スカーフ本体１の中間部分には円形状、楕円形状若しくはその他幾何学的形状、または不規則形状である第３の穴４が設けられ、第３の穴４が第１の穴２および第２の穴３と連通され、多様な巻き方が可能なスカーフが構成されている。さらに、本実施形態のスカーフ本体１は、綿、絹、ナイロン、麻などの線材またはそれらの混紡線材で直接織ったり、綿、絹、ナイロン、麻などの生地またはそれらの混紡生地を裁縫したりして形成し、上述の各孔がスカーフ本体１に設けられている。さらに、本実施形態のスカーフ本体１は、第１の穴２または第２の穴３の周囲に毛糸のポンポンまたはその他類似した物を設け、見た目を多様化させてもよい。
【００１０】
本実施形態の多様な巻き方が可能なスカーフを実際に使用する際は、首部にスカーフを巻きつける一般の方法以外に、図２に示すように、ユーザの頭部をスカーフ本体１の端部に設けた第１の穴２へ通してから、中間部分に設けた第３の穴４から出したり、図３に示すように、ユーザの首部にスカーフ本体１を巻きつけてから、スカーフ本体１の他方の端部に設けた第２の穴３へ頭を入れ、スカーフ本体１で首部および頭部を覆って帽子のように用いたりすることができる。これにより、保温機能を得るとともに見た目を特別にすることができる。図２および図４に示すように、まず、スカーフ本体１の一方の端部に設けられた第１の穴２にユーザの頭部を通してから、中間部分に設けられた第３の穴４から出し、ユーザの首部にスカーフ本体１を巻きつけ、手を第３の穴４に入れてから、他方の端部に設けられた第２の穴３から出す。これにより、首部および手をスカーフ本体１で覆い、見た目を特別にすることができる。或いは、図２および図５に示すように、ユーザは、まず、頭部をスカーフ本体１の一方の端部に設けた第１の穴２に通してから中間部分に設けた第３の穴４から出し、ユーザの首部にスカーフ本体１を巻きつけてから、スカーフ本体１の他方の端部を首部へ巻きつけることにより、スカーフ本体１で首部を完全に覆うことができる。図６および図７に示すように、本実施形態の多様な巻き方が可能なスカーフは、第２の穴３を有するスカーフ本体１の端部を、中間部分に設けた第３の穴４に通してから第１の穴２と重ね、第１の穴２および第２の穴３の部分を重ねたスカーフ本体１をユーザの頭に被せて（図８に示す）帽子のように用い、見た目を特別にする。或いは、図９に示すように、第１の穴２および第２の穴３を重ねたスカーフ本体１で、ユーザの頭部を覆って首部に巻きつけ、穴部５からユーザの顔を出す。このように、首部および頭部を覆った帽子のように用いることもできる。このように、本考案は、特別な構造にすることにより、ユーザは多種多様な使用方法により、スカーフの巻き方およびスタイルを自由に変えることができる。
【００１１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１２】
１  スカーフ本体
２  第１の穴
３  第２の穴
４  第３の穴
５  穴部
【図１】
0003156051.tif 000003
【図２】
0003156051.tif 000004
【図３】
0003156051.tif 000005
【図４】
0003156051.tif 000006
【図５】
0003156051.tif 000007
【図６】
0003156051.tif 000008
【図７】
0003156051.tif 000009
【図８】
0003156051.tif 000010
【図９】
0003156051.tif 000011